(57)【要約】      （修正有）【課題】可撓性を有する基板のシートの処理に適した、媒体スタッキングシステム。【解決手段】昇降スタッカー支持体および制御装置を含み、この制御装置は、昇降スタッカー支持体により支持されるカットシートのスタックの積込み位置での重さにより、昇降スタッカー支持体を制御する。この装置および方法では、ユーザが最大許容のスタックの重さを設定することができ、この最大許容の重さに達すると、次のサイクル終了時にエレベータに接続したスタッカートレイが下に降りてカットシートを取り除く。【選択図】図３
2014144873.tif 000002
【特許請求の範囲】
【請求項１】
可撓性を有する基板のシートの処理に適した媒体スタッキングシステムであって、
昇降スタッカー支持体と、
前記昇降スタッカー支持体により支持されたカットシートの積込み位置でのスタックの重さにより、前記昇降スタッカー支持体を制御するよう設定された制御装置と、を含む媒体スタッキングシステム。
【請求項２】
初期設定の障害の値を格納するための、前記制御装置に接続する不揮発性メモリであって、前記初期設定の障害の値は、前記制御装置および前記スタッカー支持体に接続するエレベータシステムの能力を超える重さに対応する、不揮発性メモリを含む請求項１に記載の媒体スタッキングシステム。
【請求項３】
第１のリブのセットおよび第２のリブのセットを含むスタッカー支持体と、
筺体であって、前記スタッカー支持体は、前記筺体内の第１の位置と第２の位置との間を移動するよう設定され、前記第１の位置は基板の積込み位置で、前記第２の位置は基板の取り出し位置である、筐体とを含む、
請求項１に記載の媒体スタッキングシステム。
【請求項４】
可撓性を有する媒体のカットシートを処理するための、シートのスタッキング方法であって、
制御装置により、スタッカートレイの総重量を、前記トレイに積み込まれたカットシートの最初の枚数に対応する値に設定するステップと、
前記スタッカートレイを積込み位置に配置するステップと、
カットシートを前記スタッカートレイで受け取って、前記スタッカートレイ上にカットシートのスタックを形成するステップと、
前記カットシートを有する前記スタッカートレイの調整されたスタッカートレイの総重量を算出するステップと、
前記スタッカートレイの総重量がメモリ内に格納された所定の障害重量と一致するかどうかを判定するステップと、を含む方法。
【請求項５】
前記スタッカートレイの総重量が前記所定の障害重量と一致した場合、前記スタッカートレイを取り出し位置に下げるステップを含む、請求項４に記載の方法。
【請求項６】
前記初期値がゼロと同じである、請求項４に記載の方法。
【請求項７】
前記スタッカートレイの総重量を前記初期値に設定した後、前記スタッカーを積込み位置に移動させるステップを含む請求項４に記載の方法。
【請求項８】
前記スタッカートレイの総重量が前記所定の障害重量と一致しない場合、カットシートを受け取って前記トレイ上にカットシートスタックを形成する前記ステップと、調整された前記スタッカートレイの総重量を算出する前記ステップと、前記スタッカートレイの総重量がメモリ内に格納された所定の障害重量と一致するかどうかを判定する前記ステップとを繰り返すことである、請求項４に記載の方法。
【請求項９】
前記メモリが不揮発性メモリである、請求項４に記載の方法。
【請求項１０】
前記スタッカートレイが前記制御装置により制御されるエレベータシステムに接続される、請求項４に記載の方法。
【発明の詳細な説明】
【技術分野】
【０００１】
本開示は、媒体の処理、すなわち基板のシートの処理に関する。具体的には、本開示は、印刷システムなどの媒体処理システム内の基板のスタッカートレイに関する。
【背景技術】
【０００２】
従来技術のスタッキングシステムは、サイクル終了時のスタッカートレイの位置、または最初の位置を確認するよう設定されている。トレイすなわちパレットは、上段センサに到達するまで持ち上げられ、次いで、媒体経路から媒体を受け取ることができるよう少しだけ降ろさせる。トレイ上に積まれた紙のカットシートの重さが、トレイを持ち上げるシステムのモータの能力を超えると、「障害」が発生し、ユーザに知らせることができる。この障害に対処する現在の方法は、トレイを取り出し位置に下ろし、カットシートのスタックを取り出すことである。
【発明の概要】
【発明が解決しようとする課題】
【０００３】
より大きなサイズのカットシートを走らせる能力を提供するシステムが所望される。カットシートがより大きくなると、小さなカットシートサイズに関する、スタックの最大容量の高さよりも低い高さで、スタックが重たくなってしまう。従来技術システムでは、スタックの高の判定することにより最大容量を判定するため、処理が難しく作業の流れを邪魔する、より大きなサイズのカットシートのスタックができてしまう可能性がある。
【課題を解決するための手段】
【０００４】
スタッキング処理のサイクルが終了し、スタッカートレイに載るカットシートのスタックの重さが最大許容の重さに達すると、スタッカートレイを自動的に下ろす装置および方法が提供される。この装置および方法では、ユーザが最大許容のスタックの重さを設定することができ、この最大許容の重さに達すると、次のサイクル終了時にエレベータに接続したスタッカートレイが下に降りてカットシートを取り除く。
【０００５】
システムの一実施形態では、可撓性を有する基板のシートの処理に適した媒体スタッキングシステムを含むことができる。この媒体スタッキングシステムは、昇降スタッカー支持体および制御装置を含み、この制御装置は、昇降スタッカー支持体により支持されるカットシートのスタックの積込み位置での重さにより、昇降スタッカー支持体を制御するよう設定されている。
【０００６】
一実施形態では、システムは、初期設定の障害値を格納する、制御装置に接続した不揮発性メモリを含むことができ、この初期設定の障害値は、制御装置およびスタッカー支持体に接続するエレベータシステムの能力を超える重さに対応する。このシステムは、第１のリブのセットおよび第２のリブのセットと筺体とを含むスタッカー支持体を含むことができ、このスタッカー支持体は、筺体内を第１の位置と第２の位置の間で移動するよう設定され、第１の位置は基板の積込み位置であり、第２の位置は基板の取り出し位置である。
【０００７】
一実施形態では、方法の中には、可撓性を有するカットシートの媒体を処理するための、シートのスタッキング方法が含まれ得、この方法には、制御装置により、スタッカートレイの総重量を、トレイに積み込まれたカットシートの最初の枚数に対応する値に設定するステップと、スタッカートレイを積込み位置に配置するステップと、カットシートをスタッカートレイで受け取って、スタッカートレイ上にカットシートのスタックを形成するステップと、カットシートを有する、調整されたスタッカートレイの総重量を算出するステップと、スタッカートレイの総重量がメモリ内に格納された所定の障害重量と一致するかどうかを判定するステップと、が含まれ得る。
【０００８】
一実施形態では、方法には、スタッカートレイの重さが所定の障害重量と一致した場合、取り出し位置にスタッカートレイを下ろすステップが含まれ得る。いくつかの方法では、初期値はゼロと同じでよい。一実施形態では、方法は、スタッカートレイの総重量を初期値に設定した後、スタッカーを積込み位置に移動させるステップを含むことができる。一実施形態では、スタッカートレイの総重量が所定の障害重量と一致しない場合、この方法では、カットシートを受け取ってトレイ上にカットシートスタックを形成するステップと、調整されたスタッカートレイの総重量を算出するステップと、スタッカートレイの総重量がメモリ内に格納された所定の障害重量と一致するかどうかを判定するステップとを繰り返すことができる。
【０００９】
方法では、メモリは不揮発性メモリでよい。方法では、スタッカートレイは制御装置により制御されるエレベータシステムに取り付けることができる。
【００１０】
装置の一実施形態では、媒体処理システムのスタッカートレイを制御するための命令を格納する非一時的なコンピュータ可読媒体には、制御装置に、スタッカートレイの総重量をトレイに積み込まれたカットシートの最初の枚数に対応する値に設定する命令と、積込み位置にスタッカートレイを配置させる命令と、カットシートをスタッカートレイで受け取ってスタッカートレイ上にカットシートのスタックを形成させる命令と、カットシートを有するスタッカートレイの調整された総重量を算出させる命令と、スタッカートレイの総重量が、メモリ内に格納された所定の障害重量と一致するかどうかを判定させる命令と、が含まれ得る。
【００１１】
一実施形態では、装置は、コンピュータ可読媒体を含むことができ、スタッカートレイの総重量が所定の障害重量と一致した場合、スタッカートレイを取り出し位置に下ろす。初期値はゼロと同じでよい。一実施形態では、方法は、スタッカートレイの総重量を初期値に設定した後、積込み位置にスタッカーを移動させるステップを含むことができる。一実施形態では、スタッカートレイの総重量が所定の障害重量と一致しない場合、これらの命令により、カットシートを受け取ってトレイ上にカットシートのスタックを形成するステップと、調整されたスタッカートレイの総重量を算出するステップと、スタッカートレイの総重量がメモリ内に格納された所定の障害重量と一致するかどうかを判定するステップとを繰り返すことができる。
【図面の簡単な説明】
【００１２】
【図１】図１は、例示的な実施形態による、基板処理システムの概略的な正面図である。
【図２】図２は、例示的な実施形態による、基板処理システムの概略的な正面斜視図である。
【図３】図３は、例示的な実施形態による、基板の積込み処理、および基板の取出し処理を示すフローチャートである。
【発明を実施するための形態】
【００１３】
媒体の処理に関して有用な媒体処理システムすなわち基板処理システム、スタッキング支持装置、および基板のスタッキング方法が提供される。特に、装置および方法は、カットシートの最大の容量に達すると、自動的に取り出し位置に下りるよう設定されるスタッキング支持体を含む。
【００１４】
提供される装置は、プリンタなどのカットシートの媒体処理システムのスタッカー装置を含む。図１には、媒体経路１０３に接続した媒体供給１０１を有するカットシートの媒体処理システム１００が示されている。媒体経路は媒体処理システムの種々の部分に延在し、媒体をスタッキング装置に誘導する経路を含む。
【００１５】
このスタッカー装置は、エレベータ組立体（図示せず）に接続したスタッカートレイ１０７を含む。このスタッカートレイ１０７は、媒体経路１０３から受け取ったカットシートのスタック１１０を載せるよう設定されている。このエレベータはモータを含むことができ、ポイントＡとポイントＢとの間でスタッカートレイ１０７を垂直な経路Ｃに沿って持ち上げ、かつ下ろすよう設定され得る。例えば、サイクルの終わりに、またはスタッキング処理の始まりに、スタッカー１０７をポイントＡに配置することができる。スタックが増加すると、スタッカー１０７はポイントＢへ下りることができる。取り出すために、および／または、サイクルを終了させるために、スタッカートレイ１０７は、ポイントＢに下りる。取り出した後、次のスタッキング処理のため、スタッカートレイ１０７は、ポイントＡに上がることができる。
【００１６】
エレベータ組立体は、制御装置に接続することができ、この制御装置が組立体およびスタッカートレイ１０７の移動を制御する。スタックの重さに基づいて、スタッカートレイを制御するよう制御装置を設定することができる。具体的には、制御装置はメモリ、例えば、不揮発性メモリに接続することができ、このメモリには、エレベータ組立体のモータ能力を超えるカットシートのスタックの重さに対応する初期設定の障害値が格納されている。
【００１７】
制御装置すなわち接続されたプロセッサは、スタッカートレイ１０７上のカットシートスタックの現在の重さを算出するよう設定されている。スタッキング処理中にスタッカーのパレットすなわちトレイ１０７上に積み上げられる各シートの重さを累積することにより現在の重さを算出する。この重さはシートの枚数をカウントし、現在の重さのカウントした値を加えることにより算出することができる。つまり、加えられた（供給された、あるいは検出された）シートの特性に基づいて算出され、この特性には、シート材料に関する、既知のＧＳＭも含まれる。特に、スタッカーのパレットすなわちトレイ１０７上の紙のカットシートのスタックの現在の重さは、次の式により算出することができる。
パレット上の総重量＝パレット上の総重量＋現在のシートの重さ、但し、現在のシートの重さ＝（（基本の重さ（ＧＳＭ）＊クロス処理長（ｍｍ）＊処理長（ｍｍ））／１００００００）
算出された総重量が、モータの障害などの障害が発生するとされる重さ、またはその重さのすぐ下の、所定の障害値に達すると、取り出すための位置Ｂにスタッカートレイを下ろすことができる。総重量の値は、スタッカーのパレットすなわちトレイ１０７からスタックが取り出される毎にクリアーされる。
【００１８】
図２には、スタッカートレイに載った紙のカットシートのスタックが示され、このスタッカートレイは、スタックを取り出すために、媒体処理システムから引き出されている。このカットシートのスタックは、縦２６インチ×横１４．３３インチである。このようなスタックの重さは、２５０ポンドを超える可能性がある。
【００１９】
図３には、例示的な実施形態による、基板の積込み処理、および基板の取出し処理が示される。特に、図３には、紙のシートなどの可撓性を有する媒体の積み込み、および取り出しに関する処理３００が示されている。図３に示される方法により、スタッカー装置を制御するよう、制御装置を設定することができ、この制御装置は、印刷システムのスタッカー装置およびメモリモジュールに接続している。
【００２０】
Ｓ３００１で、スタッカートレイの総重量を、スタッカートレイ上に載せられた０枚のカットシートに対応する値に設定する。サイクルの終わり、すなわち取り出し位置のスタッカートレイから、カットシートを取り出した後に、この設定を行うことができる。
【００２１】
Ｓ３００３で、積込み位置にスタッカーを配置することができる。積込み位置では、スタッカートレイ上にカットシートを供給し、積み上げることができる。Ｓ３００５で、カットシートをスタッカーで受け取って、トレイ上にカットシートのスタックを形成することができる。スタッカートレイが各カットシートを受け取ると、Ｓ３００７で、制御装置すなわち接続されたプロセッサにより、スタッカートレイの総重量の値が調整され、Ｓ３００５で加えられたカットシートを含む、調整されたスタッカートレイの総重量を算出することができる。
【００２２】
Ｓ３０１１で、制御装置すなわち接続されたプロセッサは、スタッカートレイの総重量がエレベータ組立体のモータの能力を超えているかどうかを判定することができる。具体的には、制御装置すなわち接続されたプロセッサは、スタッカートレイの総重量が、メモリ内に格納された所定の障害重量と一致しているか、または超えているかどうかを判定することができる。所定の障害重量は、エレベータ組立体のモータの能力を超える重さのすぐ下の重さと同じでよい。
【００２３】
スタッカートレイの総重量が所定の障害値と一致していない場合、または超えない場合、これ以上のシート処理が必要でなければ、すなわちＳ３００５〜Ｓ３０１１を繰り返して、さらにシート処理する必要が無ければ、この処理はＳ３０１５に続いてよい。スタッカートレイの総重量が所定の障害の値と一致した場合、または超えた場合、Ｓ３０１５でスタッカートレイを取り出し位置に下ろすことができる。
【図１】
2014144873.tif 000003
【図２】
2014144873.tif 000004
【図３】
2014144873.tif 000005